(57)【要約】【課題】経時的な吸込力の低下を抑制した電気掃除機を提供する。【解決手段】掃除状態を切換機構58により選択することで、主集塵室21の分離部34に粗塵D1を捕集し、メッシュフィルタ32および回転プリーツフィルタ54に細塵を捕集する。細塵移動状態を切換機構58により選択することで、回転プリーツフィルタ54に捕集した細塵を副集塵室22へ移動させて回転プリーツフィルタ54を洗浄する。粗塵移動状態を切換機構58により選択することで、メッシュフィルタ32を洗浄するとともに主集塵室21に捕集した粗塵D1を副集塵室22へと移動させる。フィルタ洗浄状態を切換機構58により選択することで、固定プリーツフィルタ56を洗浄する。この結果、経時的な吸込力の低下を抑制できる。【選択図】図１
2008100005.tif 000002
【特許請求の範囲】
【請求項１】
電動送風機を収容するとともに、この電動送風機の吸込側に連通する本体吸込口を備えた掃除機本体と、
外気と連通可能であるとともに前記電動送風機の駆動により前記本体吸込口から吸い込んだ塵埃を捕集可能な第１集塵部と、
前記第１集塵部内に設けられて塵埃を捕集する第１フィルタと、
前記第１集塵部に対して、前記第１フィルタの上流側と、この第１フィルタの下流側とでそれぞれ別個に連通接続された第２集塵部と、
前記第１集塵部と前記第２集塵部とのそれぞれの下流側と前記電動送風機の上流側の間に設けられて細塵を捕集する第２フィルタと、
前記第１集塵部と前記第２集塵部とのそれぞれの下流側と前記電動送風機の上流側とを前記第２フィルタを介して連通する第１連通風路と、
前記第２集塵部の下流側に設けられた第３フィルタと、
前記第１連通風路と別個に前記第２集塵部の下流側と前記電動送風機の上流側とを前記第２フィルタを介さずに前記第３フィルタを介して連通する連通する第２連通風路と、
前記第１集塵部と前記第１連通風路とを連通し、前記第１集塵部と前記第２集塵部との各連通を遮断し、前記第１集塵部の上流側を開放するとともに前記外気を遮断する第１状態と、前記第２集塵部と前記第２連通風路とを連通し、前記第１集塵部の前記第１フィルタの下流側と前記第２集塵部との連通の遮断を解除し、前記第１集塵部の上流側を閉塞するとともに前記外気の遮断を解除する第２状態と、前記第２集塵部と前記第２連通風路とを連通し、前記第１集塵部の前記第１フィルタの上流側と前記第２集塵部との連通の遮断を解除し、前記第１集塵部の上流側を閉塞するとともに前記外気の遮断を解除する第３状態と、前記第２集塵部と前記第１連通風路とを連通し、前記第１集塵部の前記第１フィルタの上流側と前記第２集塵部との連通の遮断を解除し、前記第１集塵部の上流側を開放するとともに前記外気を遮断する第４状態とを選択的に切り換え可能な切換機構と
を具備したことを特徴とした電気掃除機。
【発明の詳細な説明】
【技術分野】
【０００１】
本発明は、電動送風機の駆動により吸い込んだ塵埃を捕集可能な電気掃除機に関する。
【背景技術】
【０００２】
従来、この種の電気掃除機は、電動送風機を収容した掃除機本体を備えている。この掃除機本体の前側には、電動送風機の吸込側に連通する集塵部が設けられ、この集塵部の前部には、本体吸込口が開口形成され、この本体吸込口には、ホース体、延長管および床ブラシが順次連通接続される。そして、集塵部内には、電動送風機の駆動により本体吸込口から吸い込んだ塵埃を捕集する、例えばサイクロン分離式の集塵装置である略有底円筒状の集塵カップが着脱可能に設けられている。この集塵カップは、内部にフィルタが取り付けられ、比較的大きな塵埃である粗塵をサイクロン分離した吸込風がフィルタを通過する際に、この吸込風に含まれる微細な塵埃である細塵が、このフィルタにより捕集される（例えば、特許文献１参照。）。
【特許文献１】特開２００３−２６５３７６号公報（第３−５頁、図１）
【発明の開示】
【発明が解決しようとする課題】
【０００３】
しかしながら、上述の電気掃除機では、経時的にフィルタに目詰まりが生じ、このようにフィルタが目詰まりすると、電動送風機による吸込力が低下するという問題点を有している。
【０００４】
このため、フィルタを定期的に手入れして、このフィルタに付着した細塵を頻繁に除去しなければならず、また、除去した細塵は、集塵カップの外部へと排気しないと再度フィルタに付着してしまうため、メンテナンス性も良好でない。
【０００５】
本発明は、このような点に鑑みなされたもので、経時的な吸込力の低下を抑制した電気掃除機を提供することを目的とする。
【課題を解決するための手段】
【０００６】
本発明は、外気と連通可能であるとともに電動送風機の駆動により本体吸込口から吸い込んだ塵埃を捕集可能な第１集塵部と、第１集塵部内に設けられて塵埃を捕集する第１フィルタと、第１集塵部に対して、第１フィルタの上流側と、この第１フィルタの下流側とでそれぞれ別個に連通接続された第２集塵部と、第１集塵部と第２集塵部とのそれぞれの下流側と電動送風機の上流側の間に設けられて細塵を捕集する第２フィルタと、第１集塵部と第２集塵部とのそれぞれの下流側と電動送風機の上流側とを第２フィルタを介して連通する第１連通風路と、第２集塵部の下流側に設けられた第３フィルタと、第１連通風路と別個に第２集塵部の下流側と電動送風機の上流側とを第２フィルタを介さずに第３フィルタを介して連通する連通する第２連通風路と、第１集塵部と第１連通風路とを連通し、第１集塵部と第２集塵部との各連通を遮断し、第１集塵部の上流側を開放するとともに外気を遮断する第１状態と、第２集塵部と第２連通風路とを連通し、第１集塵部の第１フィルタの下流側と第２集塵部との連通の遮断を解除し、第１集塵部の上流側を閉塞するとともに外気の遮断を解除する第２状態と、第２集塵部と第２連通風路とを連通し、第１集塵部の第１フィルタの上流側と第２集塵部との連通の遮断を解除し、第１集塵部の上流側を閉塞するとともに外気の遮断を解除する第３状態と、第２集塵部と第１連通風路とを連通し、第１集塵部の第１フィルタの上流側と第２集塵部との連通の遮断を解除し、第１集塵部の上流側を開放するとともに外気を遮断する第４状態とを選択的に切り換え可能な切換機構とを具備したものである。
【発明の効果】
【０００７】
本発明によれば、第１集塵部と第１連通風路とを連通し、第１集塵部と第２集塵部との各連通を遮断し、第１集塵部の上流側を開放するとともに外気を遮断する第１状態を切換機構により選択することで、第１集塵部に塵埃を捕集するとともに第１フィルタおよび第２フィルタにて塵埃を捕集し、第２集塵部と第２連通風路とを連通し、第１集塵部の第１フィルタの下流側と第２集塵部との連通の遮断を解除し、第１集塵部の上流側を閉塞するとともに外気の遮断を解除する第２状態を選択することで、第２フィルタに捕集した塵埃を外気により第２集塵部へと移動させ、第２集塵部と第２連通風路とを連通し、第１集塵部の第１フィルタの上流側と第２集塵部との連通の遮断を解除し、第１集塵部の上流側を閉塞するとともに外気の遮断を解除する第３状態を切換機構により選択することで、外気により第１フィルタを洗浄するとともに第１集塵部に捕集した塵埃を第２集塵部へと移動させ、かつ、第２集塵部と第１連通風路とを連通し、第１集塵部の第１フィルタの上流側と第２集塵部との連通の遮断を解除し、第１集塵部の上流側を開放するとともに外気を遮断する第４状態を切換機構により選択することで、第３フィルタを洗浄することが可能になり、経時的な吸込力の低下を抑制できる。
【発明を実施するための最良の形態】
【０００８】
以下、本発明の一実施の形態の電気掃除機の構成を図１ないし図５を参照して説明する。
【０００９】
図５において、１は掃除機本体であり、この掃除機本体１は床面を走行可能な、いわゆるキャニスタ型の電気掃除機である。この掃除機本体１は、上側が後方から前方へと下側に傾斜して開放された下ケース２と、この下ケース２の上部を覆う蓋体３とを有する本体ケース４を備え、この本体ケース４内には、電動送風機５が後側に、蓋体３により上部が開閉される集塵部としての集塵ユニット７(図１)が前側にそれぞれ配設されているとともに、電動送風機５の動作などを制御する制御手段８が配設されている。
【００１０】
そして、本体ケース４の前端部には、集塵ユニット７を介して電動送風機５の吸込側に連通可能な本体吸込口11が開口形成され、この本体吸込口11には、ホース体12が着脱可能に設けられ、このホース体12の先端部に、手元操作部13が設けられ、この手元操作部13には、作業者が把持する把持部14が突設され、この把持部14には、作業者により電動送風機５の動作モードなどを設定する設定ボタン15が複数設けられている。そして、手元操作部13の先端部には、延長管16と吸込口体としての床ブラシ17とが順次連通接続される。
【００１１】
さらに、本体ケース４内には、電動送風機５に給電するための図示しない電源コードを巻回したコードリールが配設され、電源コードを本体ケース４に対して出し入れ可能となっている。
【００１２】
電動送風機５は、吸込側を前側とし、排気側を後側として掃除機本体１の左右方向の略中心位置に配設されている。また、この電動送風機５は、設定ボタン15により制御手段８に設定された動作モードに応じて動作される。
【００１３】
そして、集塵ユニット７は、図１ないし図４に示すように、第１集塵部としての主集塵室21を例えば上側に、第２集塵部としての副集塵室22を例えば下側に備え、これら主集塵室21と副集塵室22とは、第１連通路26および第２連通路27により連通接続されている。また、集塵ユニット７の下流側は、第１連通風路としての吸込風路28および第２連通風路としての洗浄風路29を介して電動送風機５の吸込側に連通接続されている。
【００１４】
主集塵室21は、電気掃除機の掃除の際にメインで用いるもので、本体吸込口11の下流側に連通接続され、この本体吸込口11の中心軸上に沿って配設され、電動送風機５の駆動により吸い込まれた塵埃を、例えば遠心分離などにより空気から分離する、いわゆるサイクロン式の集塵部である。また、この主集塵室21の上流側の外部には、主集塵室21と本体吸込口11との連通を遮断可能な上流側弁体としての連通管弁31が配設されている。さらに、主集塵室21内には、第１フィルタとしてのメッシュフィルタ32が配設され、本体吸込口11側である上流側とメッシュフィルタ32との間に分離部34が区画されているとともに、メッシュフィルタ32の下流側に連通部35が区画されている。
【００１５】
連通管弁31は、制御手段８によりその開閉動作が制御される。
【００１６】
メッシュフィルタ32は、通過する空気に含まれる塵埃を捕集するものである。このため、分離部34では、本体吸込口11から吸い込んだ塵埃のうち、メッシュフィルタ32を通過しない比較的大きい粗塵D1が捕集されるとともに、メッシュフィルタ32を通過しようとする細塵の一部がこのメッシュフィルタ32に捕集され、かつ、粗塵D1が、メッシュフィルタ32を通過する空気により圧縮されるように構成されている。
【００１７】
また、分離部34は、第１連通路26を介して副集塵室22と連通しており、この第１連通路26には、この第１連通路26を開閉可能な第１開閉弁36が設けられている。この第１開閉弁36は、制御手段８によりその開閉動作が制御される。
【００１８】
連通部35は、第２連通路27を介して副集塵室22と連通しており、この第２連通路27には、この第２連通路27を開閉可能な第２開閉弁37が設けられている。この第２開閉弁37は、制御手段８によりその開閉動作が制御される。
【００１９】
副集塵室22は、主集塵室21の分離部34に捕集された塵埃などを移動させて溜める補助的な集塵部で、内部に使い捨ての集塵袋としての紙パック38が着脱可能に収容されているとともに、この紙パック38の外部で吸込風路28との連通部である排気側に、紙パック38よりも目が細かい補助フィルタとしてのメッシュフィルタ39が配設されている。
【００２０】
紙パック38は、連通路26，27の下端部に取り付けられた口板38a，38bと、これら口板38a，38bに一体的に設けられた袋状のフィルタ部38cとを有している。口板38a，38bには、図示しない開口がそれぞれ形成されて各連通路26，27とフィルタ部38c内とを連通するように構成されている。また、フィルタ部38cは、未使用状態で折り畳まれ、使用により副集塵室22内全体に膨らむように構成されている。
【００２１】
吸込風路28は、主集塵室21の下流側と副集塵室22の下流側とが合流して電動送風機５の吸込側と連通し、外気と連通し主集塵室21のメッシュフィルタ32の逆洗側へと外気を導入可能な外気導入孔51が穿設され、この外気導入孔51には、この外気導入孔51を開閉する外気切換弁としての外気進入弁52が配設され、この外気進入弁52は、制御手段８によりその開閉動作が制御される。
【００２２】
なお、以下、逆洗とは、フィルタにより塵埃などを捕集する際に流体が通過する方向と反対方向からこのフィルタに対して流体を通過させることで、このフィルタに付着した塵埃などを除去することをいう。
【００２３】
また、吸込風路28の下流端には、電動送風機５の吸込側を覆って第２フィルタとしての回転プリーツフィルタ54が回転可能に設けられている。この回転プリーツフィルタ54は、電動送風機５と略同軸上に配設され、メッシュフィルタ32よりも目が細かく形成され、メッシュフィルタ32を通過した細塵D2を捕集可能となっており、径方向に沿うプリーツ形状が周方向全体に亘って形成されている。また、この回転プリーツフィルタ54には、この回転プリーツフィルタ54に捕集した塵埃を、例えば振動などを与えることで除去する図示しない除塵装置が設けられている。この除塵装置は、制御手段８によりその動作が制御される。
【００２４】
さらに、吸込風路28の上流端には、切換弁55が設けられている。この切換弁55は、主集塵室21と副集塵室22とのいずれか一方を選択的に、吸込風路28を介して電動送風機５の吸込側に連通させるものであり、制御手段８によりその開閉動作が制御される。
【００２５】
一方、洗浄風路29は、副集塵室22のメッシュフィルタ39の下流側と電動送風機５の吸込側とを、吸込風路28と別個に接続するもので、第３フィルタとしての固定プリーツフィルタ56を副集塵室22の下流側との連通部に備え、制御手段８により動作が制御される細塵フィルタ弁57の移動により吸込風路28と洗浄風路29とのいずれか一方が選択的に電動送風機５の吸込側に連通するように構成されている。
【００２６】
固定プリーツフィルタ56は、メッシュフィルタ39よりも目が細かく形成され、メッシュフィルタ39を通過した細塵を捕集可能となっており、例えばプリーツ形状が前後方向に沿うように、前側から後側へと上側に傾斜するように配設されている。
【００２７】
そして、上記連通管弁31、各開閉弁36，37、外気進入弁52、切換弁55、細塵フィルタ弁57および制御手段８などにより、切換機構58が構成され、この切換機構58により、電動送風機５の負圧が、床ブラシ17、延長管16、ホース体12、本体吸込口11、分離部34、連通部35および吸込風路28と作用する主風路W1を形成する第１状態である掃除状態と、電動送風機５の負圧が、外気導入孔51、吸込風路28、連通部35、第２連通路27、副集塵室22および洗浄風路29と作用する第１副風路W2を形成する第２状態である細塵移動状態と、電動送風機５の負圧が、外気導入孔51、吸込風路28、連通部35、分離部34、第１連通路26、副集塵室22および洗浄風路29と作用する第２副風路W3を形成する第３状態である粗塵移動状態と、電動送風機５の負圧が、床ブラシ17、延長管16、ホース体12、本体吸込口11、分離部34、第１連通路26、副集塵室22および吸込風路28と作用する第３副風路W4を形成する第４状態であるフィルタ洗浄状態とを、選択的に切り換え可能となっている。
【００２８】
次に、上記一実施の形態の動作を説明する。
【００２９】
まず、本体吸込口11にホース体12、延長管16および床ブラシ17を順次連通接続するとともに、本体ケース４の蓋体３を開けて集塵ユニット７を装着し、蓋体３を閉じる。
【００３０】
そして、本体ケース４から電源コードを引き出して壁面などのコンセントに接続し、作業者が把持部14を把持して所定の設定ボタン15を操作すると、制御手段８が除塵装置を駆動させて回転プリーツフィルタ54に捕集した微細な塵埃である細塵D2をこの回転プリーツフィルタ54から叩き落した後、電動送風機５を駆動させる。
【００３１】
このとき、制御手段８は、図２に示すように、切換弁55により主集塵室22側を閉塞するとともに細塵フィルタ弁57により吸込風路28を閉塞して、洗浄風路29を介して副集塵室22の下流側を電動送風機５の吸込側に連通させ、第２開閉弁37を開いて第１開閉弁36を閉じ、主集塵室21の連通部35と副集塵室22とを連通させ、連通管弁31を閉じて主集塵室21の上流側を閉塞し、かつ、外気進入弁52を開く(細塵移動状態)。
【００３２】
このため、電動送風機５の駆動により、負圧が外気導入孔51、吸込風路28、連通部35、第２連通路27、副集塵室22および洗浄風路29と作用する第１副風路W2が形成され、外気が外気導入孔51から導入され、連通部35から第２連通路27を介して副集塵室22へと流入し、紙パック38およびメッシュフィルタ39を通過した後、固定プリーツフィルタ56を通過して洗浄風路29へと流入し、電動送風機５に吸い込まれ、電動送風機５を通過して排気風となり、図示しない排気孔から掃除機本体１の外部へと排気される。
【００３３】
ここで、外気導入孔51から取り込まれた外気が、回転プリーツフィルタ54から叩き落された塵埃を、連通部35および第２連通路27を介して副集塵室22の紙パック38へと移動させ、この紙パック38に一部を捕集するとともに、この紙パック38を通過した細塵D2の残りは、空気がメッシュフィルタ39および固定プリーツフィルタ56を通過する際に、これらメッシュフィルタ39および固定プリーツフィルタ56により捕集する。
【００３４】
この結果、回転プリーツフィルタ56が洗浄される。
【００３５】
この後、制御手段８は、図１に示すように、切換弁55により副集塵室22側を閉塞するとともに細塵フィルタ弁57により洗浄風路29を閉塞し、吸込風路28を介して主集塵室21の下流側を電動送風機５の吸込側に連通させ、各開閉弁36，37を閉じて主集塵室21の分離部34および連通部35と副集塵室22との連通を遮断し、連通管弁31を開いて主集塵室21の上流側を開放し、かつ、外気進入弁52を閉じて主集塵室21への外気を遮断する(掃除状態)。
【００３６】
この結果、電動送風機５の駆動により、負圧が床ブラシ17、延長管16、ホース体12、本体吸込口11、分離部34、連通部35および吸込風路28と作用する主風路W1が形成され、空気とともに塵埃が主集塵室21へと吸い込まれる。
【００３７】
そして、この主集塵室21へと吸い込まれた塵埃のうち、比較的大きい塵埃である粗塵D1は例えば遠心分離されて分離部34内に捕集され、細塵の一部は空気がメッシュフィルタ32を通過する際に、このメッシュフィルタ32により捕集され、さらに、このメッシュフィルタ32を通過した細塵D2は、回転プリーツフィルタ54を空気が通過する際に、この回転プリーツフィルタ54に捕集される。なお、分離部34内に収容された粗塵D1は、通過する空気により圧縮される。
【００３８】
回転プリーツフィルタ54を通過した空気は、吸込風路28を介して電動送風機５へと吸い込まれ、電動送風機５を通過して排気風となり、図示しない排気孔から掃除機本体１の外部へと排気される。
【００３９】
次いで、掃除を終了する際に、作業者が設定ボタン15を操作すると、制御手段８は、除塵装置を駆動させて、図２に示す上記細塵移動状態を選択し、回転プリーツフィルタ54に捕集された細塵D2を副集塵室22の紙パック38へと移動させてこの紙パック38、メッシュフィルタ39および固定プリーツフィルタ56に捕集する。
【００４０】
また、制御手段８は、図３に示すように、切換弁55により副集塵室22側を閉塞するとともに細塵フィルタ弁57により吸込風路28を閉塞して、洗浄風路29を介して副集塵室22の下流側を電動送風機５の吸込側に連通させた状態で、第１開閉弁36を開いて第２開閉弁37を閉じ、主集塵室21の分離部34と副集塵室22とを連通させ、連通管弁31を閉じて主集塵室21の上流側を閉塞し、かつ、外気進入弁52を開く(粗塵移動状態)。
【００４１】
このとき、分離部34に捕集された粗塵D1の一部が、自重により第１連通路26を介して副集塵室22へと落下し、紙パック38に捕集される。
【００４２】
さらに、電動送風機５の駆動により、負圧が外気導入孔51、吸込風路28、連通部35、分離部34、第１連通路26、副集塵室22および洗浄風路29と作用する第２副風路W3が形成され、外気が外気導入孔51から主集塵室21へと導入される。
【００４３】
そして、この外気は、メッシュフィルタ32を下流側から上流側へと通過してこのメッシュフィルタ32を逆洗し、第１連通路26を介して副集塵室22へと吸い込まれ、紙パック38、メッシュフィルタ39および固定プリーツフィルタ56を順次通過し、洗浄風路29を通過して電動送風機５へと吸い込まれ、電動送風機５を通過して排気風となり、図示しない排気孔から掃除機本体１の外部へと排気される。
【００４４】
この結果、分離部34に捕集された粗塵D1の残りが、外気の流れにより第１連通路26から副集塵室22の紙パック38へと流入し、この紙パック38、あるいはメッシュフィルタ39に捕集される。
【００４５】
さらに、制御手段８は、図４に示すように、切換弁55により主集塵室21側を閉塞するとともに細塵フィルタ弁57により洗浄風路29を閉塞して、吸込風路28を介して副集塵室22の下流側を電動送風機５の吸込側に連通させた状態で、第１開閉弁36を開いて第２開閉弁37を閉じ、主集塵室21の分離部34と副集塵室22とを連通させ、連通管弁31を開いて主集塵室21の上流側を開放し、かつ、外気進入弁52を閉じて主集塵室21への外気を遮断する(フィルタ洗浄状態)。
【００４６】
このとき、分離部34に捕集された粗塵D1の一部が、自重により第１連通路26を介して副集塵室22へと落下し、紙パック38に捕集される。
【００４７】
同時に、電動送風機５の駆動により、負圧が床ブラシ17、延長管16、ホース体12、本体吸込口11、分離部34、第１連通路26、副集塵室22および吸込風路28と作用する第３副風路W4が形成され、空気が主集塵室21へと吸い込まれる。
【００４８】
そして、この吸い込まれた空気は、第１連通路26を介して副集塵室22へと吸い込まれ、紙パック38およびメッシュフィルタ39を通過し、さらに、固定プリーツフィルタ56の塵埃捕集面である上面を通過し、この固定プリーツフィルタ56を洗浄して、この固定プリーツフィルタ56にて捕集した細塵を除去する。
【００４９】
この後、この除去された細塵は、空気が吸込風路28を経由して回転プリーツフィルタ54を通過する際に、この回転プリーツフィルタ54に捕集される。
【００５０】
この結果、固定プリーツフィルタ56が洗浄される。
【００５１】
また、回転プリーツフィルタ54を通過した空気は、電動送風機５へと吸い込まれ、電動送風機５を通過して排気風となり、図示しない排気孔から掃除機本体１の外部へと排気される。
【００５２】
そして、制御手段８は、所定時間が経過すると、電動送風機５を停止させて、電気掃除機の運転を停止する。
【００５３】
紙パック38に所定量以上の塵埃が溜まった場合には、蓋体３を開けて紙パック38を副集塵室22から取り外して塵埃とともに廃棄し、新たな紙パック38を副集塵室22に装着する。
【００５４】
上述したように、上記一実施の形態では、上記掃除状態を切換機構58により選択することで、主集塵室21の分離部34に粗塵D1を捕集し、メッシュフィルタ32および回転プリーツフィルタ54に細塵D2を捕集し、上記細塵移動状態を切換機構58により選択することで、回転プリーツフィルタ54に捕集した細塵D2を副集塵室22へ移動させて回転プリーツフィルタ54を洗浄し、上記粗塵移動状態を切換機構58により選択することで、メッシュフィルタ32を洗浄するとともに主集塵室21に捕集した粗塵D1を副集塵室22へと移動させ、かつ、上記フィルタ洗浄状態を切換機構58により選択することで、固定プリーツフィルタ56を洗浄する構成とした。
【００５５】
この結果、主集塵室21および各フィルタ32，54，56が清浄な状態に保たれ、掃除の際にメインで使用する主集塵室21側に粗塵D1および細塵D2が溜まり続けたり、メッシュフィルタ32および各プリーツフィルタ54，56が経時的に目詰まりしたりすることが抑制されるので、主集塵室21から移動させた粗塵D1および細塵D2が紙パック38いっぱいに溜まるまで、経時的な吸込力の低下を抑制できる。
【００５６】
また、主集塵室21にて一旦圧縮した粗塵D1を副集塵室22の紙パック38へと移動させるので、紙パック38へ移動させる粗塵D1の嵩が低減し、紙パック38の容量を、より有効に利用できる。
【００５７】
さらに、主集塵室21を副集塵室22の上方に配設することにより、切換機構58により第１開閉弁36を開いた際に第１連通路26を介して、分離部34に捕集した粗塵D1の一部を副集塵室22へと自重により落下させることが可能になるとともに、細塵D2および粗塵D1を外気により副集塵室22へと移動させる際にも、これら細塵D2および粗塵D1を効率よく移動させることができる。
【００５８】
なお、上記一実施の形態において、主集塵室21と副集塵室22とは、主集塵室21を上側、副集塵室22を下側とする以外でも、他の様々な配置が可能である。
【００５９】
また、各弁31，36，37，55，52，57の開閉動作は、制御手段８にて制御したが、制御する別個の弁制御手段を設けたり、いずれかの弁の開閉に機械的に連動させて他の各弁を開閉させたりしてもよい。
【００６０】
さらに、紙パック38に代えて、ティッシュペーパなどの二次フィルタを副集塵室22に取り付けることも可能であり、また、二次フィルタを副集塵室22に取り付けずに、副集塵室22自体を掃除機本体１に対して着脱可能な集塵カップのように構成することも可能である。
【００６１】
そして、メッシュフィルタ39を設けない構成とすることも可能である。
【００６２】
また、電気掃除機の細部は、上記構成に限定されるものではなく、電気掃除機としては、キャニスタ型に限らず、例えば自走式(走行補助式)や自律走行式(ロボット式)の電気掃除機などでもよく、また、例えば床ブラシ17が掃除機本体１の下面に直接形成されたアップライト型、あるいはハンディ型などであっても対応させて用いることができる。
【図面の簡単な説明】
【００６３】
【図１】本発明の一実施の形態の電気掃除機の第１状態を示す説明側面図である。
【図２】同上電気掃除機の第２状態を示す説明側面図である。
【図３】同上電気掃除機の第３状態を示す説明側面図である。
【図４】同上電気掃除機の第４状態を示す説明側面図である。
【図５】同上電気掃除機を示す斜視図である。
【符号の説明】
【００６４】
１    掃除機本体
５    電動送風機
11    本体吸込口
21    第１集塵部としての主集塵室
22    第２集塵部としての副集塵室
28    第１連通風路としての吸込風路
29    第２連通風路としての洗浄風路
32    第１フィルタとしてのメッシュフィルタ
54    第２フィルタとしての回転プリーツフィルタ
56    第３フィルタとしての固定プリーツフィルタ
58    切換機構
【図１】
2008100005.tif 000003
【図２】
2008100005.tif 000004
【図３】
2008100005.tif 000005
【図４】
2008100005.tif 000006
【図５】
2008100005.tif 000007